(57)【要約】【課題】従来より、播種装置を着脱するには、繰出ベースに設けた外側枠片を機体の左右外側に大きく開放する必要があり、一層の装着作業性の向上が望まれている。【解決手段】播種装置１４の繰出部１４ａは、機体フレーム２・３に設けた繰出ベース１３に取り付け・取り外し可能に設けると共に、繰出ベース１３内の駆動ギア８２に繰出部１４ａ側の従動ギア７５を噛合して繰出部１４ａを駆動させる播種機１において、繰出ベース１３内には、挟持上板８３・８３、挟持下板部７７ｃ・７８ｃ、後挟持体８０と、繰出ベース１３内への繰出部１４ａの上方からの挿入によって、後係止部１４ｃを、挟持上板８３・８３、挟持下板部７７ｃ・７８ｃに向かって弾性的に付勢しながら、後挟持体８０まで摺動させて導く弾性ガイド機構２７とを設けた。【選択図】図３
2014036609.tif 000002
【特許請求の範囲】
【請求項１】
機体フレームの前後に配置した前輪と後輪との間に、播種装置を備える播種ユニットを左右方向に列設し、該播種装置の繰出部は、前記機体フレームに設けた枠状の繰出ベースに取り付け・取り外し可能に設けると共に、該繰出ベース内の駆動ギアに、前記繰出部側の従動ギアを噛合して該繰出部を駆動させる播種機において、前記繰出ベース内には、前記繰出部の係止部を挟持する複数の挟持体と、前記繰出ベース内への繰出部の上方からの挿入によって、前記係止部を、前記挟持体のうちの一挟持体に向かって弾性的に付勢しながら、該一挟持体に対向配置した他挟持体まで摺動させて導く弾性ガイド機構とを設けたことを特徴とする播種機。
【請求項２】
前記弾性ガイド機構は、前記他挟持体近傍から立設して上下方向に延びる摺動面部を備えると共に弾性を有する弾性ガイド体に加え、該弾性ガイド体の上下途中部に、前記他挟持体まで係止部を摺動させる摺動機能と、前記他挟持体内の挟持空間からの係止部の離脱を防止する保持機能とを兼備した規制部材を設けることを特徴とする請求項１に記載の播種機。
【請求項３】
前記弾性ガイド体は、弾性を有する一体のバネ部材から成り、前記繰出ベースに下部を連結して上方に延出する支持バネ部と、前記係止部を付勢する付勢バネ部と、該付勢バネ部と前記支持バネ部との間にあって、前記繰出部の取り外し時には、把持して係止部から離間方向に押動し、前記弾性ガイド体を弾性変形させる上下逆Ｖ字状の把持バネ角部とを備えることを特徴とする請求項２に記載の播種機。
【請求項４】
前記規制部材は、前記係止部の上部を上から押圧する係止面部と、前記付勢バネ部の摺動面部に段差なく連続する摺動斜面部とを備えることを特徴とする請求項２または請求項３に記載の播種機。
【発明の詳細な説明】
【技術分野】
【０００１】
本発明は、機体フレームの前後に配置した前輪と後輪との間に、播種装置を備える播種ユニットを左右方向に列設し、該播種装置の繰出部は、前記機体フレームに設けた枠状の繰出ベースに取り付け・取り外し可能に設けると共に、該繰出ベース内の駆動ギアに、前記繰出部側の従動ギアを噛合して該繰出部を駆動させる播種機に関し、特に、播種装置の装着作業性に優れ、機体のコンパクト化も可能な播種装置の着脱構造に関する。
【背景技術】
【０００２】
従来より、前輪と後輪を支承する機体フレームに、播種装置を備える播種ユニットを設けて播種を行う播種機においては、機体フレームに播種装置の繰出部を取り付け・取り外し可能とする技術（例えば、特許文献１参照）が公知となっている。
該技術では、前記機体フレームに枠体（以下、「繰出ベース」とする）を設け、該繰出ベースに駆動ギアを設ける一方、該繰出ベースの一部を開放可能な構成とすることにより、前記駆動ギアと噛合する従動ギアを設けた前記繰出部を、前記繰出ベースに対して取り付け・取り外し可能としている。
【先行技術文献】
【特許文献】
【０００３】
【特許文献１】特開２００６−３４５７３３号公報
【発明の概要】
【発明が解決しようとする課題】
【０００４】
しかしながら、前記技術では、播種装置を着脱するには、繰出ベースに設けた外側枠片を機体の左右外側に大きく開放してから、該繰出ベース内に前記繰出部を挿入して取り付け位置に配置し、その後、再び該外側枠片を閉塞して駆動ギアの最終的な位置決め等を行う必要があり、装着までのプロセスが多く、しかも、手で把持しながら繰出部を取り付け位置に導くため、作業負荷が大きく、装着作業が必ずしも迅速に行えず、装着作業性の一層の向上が望まれている。
更に、機体の左右外側に開放した外側枠片が、隣接する繰出ベースと干渉するため、前記播種装置を備える播種ユニットを左右方向に多数列設する場合は、隣接する播種ユニット間の間隔が拡大し、機体の大型化や条間距離の制限が避けられず、旋回性能の悪化、作業負荷の増加、播種性能の低下を招く、という問題があった。
【課題を解決するための手段】
【０００５】
本発明の解決しようとする課題は以上の如くであり、次にこの課題を解決するための手段を説明する。
すなわち、請求項１においては、機体フレームの前後に配置した前輪と後輪との間に、播種装置を備える播種ユニットを左右方向に列設し、該播種装置の繰出部は、前記機体フレームに設けた枠状の繰出ベースに取り付け・取り外し可能に設けると共に、該繰出ベース内の駆動ギアに、前記繰出部側の従動ギアを噛合して該繰出部を駆動させる播種機において、前記繰出ベース内には、前記繰出部の係止部を挟持する複数の挟持体と、前記繰出ベース内への繰出部の上方からの挿入によって、前記係止部を、前記挟持体のうちの一挟持体に向かって弾性的に付勢しながら、該一挟持体に対向配置した他挟持体まで摺動させて導く弾性ガイド機構とを設けたものである。
請求項２においては、前記弾性ガイド機構は、前記他挟持体近傍から立設して上下方向に延びる摺動面部を備えると共に弾性を有する弾性ガイド体に加え、該弾性ガイド体の上下途中部に、前記他挟持体まで係止部を摺動させる摺動機能と、前記他挟持体内の挟持空間からの係止部の離脱を防止する保持機能とを兼備した規制部材を設けるものである。
請求項３においては、前記弾性ガイド体は、弾性を有する一体のバネ部材から成り、前記繰出ベースに下部を連結して上方に延出する支持バネ部と、前記係止部を付勢する付勢バネ部と、該付勢バネ部と前記支持バネ部との間にあって、前記繰出部の取り外し時には、把持して係止部から離間方向に押動し、前記弾性ガイド体を弾性変形させる上下逆Ｖ字状の把持バネ角部とを備えるものである。
請求項４においては、前記規制部材は、前記係止部の上部を上から押圧する係止面部と、前記付勢バネ部の摺動面部に段差なく連続する摺動斜面部とを備えるものである。
【発明の効果】
【０００６】
本発明は、以上のように構成したので、以下に示す効果を奏する。
すなわち、請求項１により、繰出部を、弾性的な付勢力によって摺動面に密着した状態で離脱させることなく、繰出ベース内への下方挿入の一動作だけで、他挟持体まで安定かつ迅速に導くことができ、播種装置の装着作業性の大幅な向上を図ることができる。更に、繰出部の取り付け・取り外し時に繰出ベースの形状、特に側方幅が変化することがなく、播種装置を備える播種ユニットを左右方向に多数列設する場合であっても、隣接する播種ユニット間の相互干渉を防止することができ、播種ユニット間の間隔が拡大せずに、機体の大型化や条間距離の制限を回避して、旋回性能の向上、作業負荷の軽減、播種性能の向上を図ることができる。
請求項２により、複数の機能を単一の部材である規制部材に兼備させることができ、部品点数を減らして、部品コストの低減や組立性・メンテナンス性の向上を図ることができる。
請求項３により、弾性ガイド体を、一体のバネ部材という簡単な構成で形成すると共に、把持バネ角部を、支持バネ部と付勢バネ部との間の連結部分を利用して形成することができ、一層の部品コストの低減を図ることができる。
請求項４により、係止部が、弾性ガイド体の摺動面部から規制部材の摺動斜面部にかけて摺動する途中で段差に引っかかることがなく、繰出部を他挟持体まで円滑に導くことができ、播種装置の装着作業性の一層の向上を図ることができる。
【図面の簡単な説明】
【０００７】
【図１】本発明に係わる播種機の全体構成を示す側面図である。
【図２】同じく平面図である。
【図３】弾性ガイド機構を使った播種装置の着脱構成の説明図である。
【図４】繰出ベースの平面図である。
【図５】同じく背面図である。
【図６】作条爪を固設した繰出ベースに播種装置を取り付けた状態を示す側面図である。
【図７】繰出ベース後部の側面拡大図である。
【発明を実施するための形態】
【０００８】
以下、本発明の実施の形態について詳細に説明する。
なお、図１の矢印Ｆで示す方向を播種機１の前進方向とし、以下で述べる各部材の位置や方向等はこの前進方向を基準とするものである。
【０００９】
まず、本発明に関わる播種機１の全体構成について、図１、図２、図６により説明する。
該播種機１には、左右一対の機体フレーム２・３が配置され、該機体フレーム２・３の前部間には、駆動ローラ５のローラ軸７が支承される一方、機体フレーム２・３の後部間には、鎮圧ローラ６のローラ軸８が支承されている。
【００１０】
更に、前記機体フレーム２・３の前後略中央部間には、その前後に支持バー１１・１２が横架され、該支持バー１１・１２によって繰出ベース１３の前後端が支持されている。
【００１１】
該繰出ベース１３の上面には、下部に繰出部１４ａを有する播種装置１４が搭載される一方、繰出ベース１３の下面には、後方に覆土板１６を支持した作条爪１５が固設されており、これら播種装置１４、繰出ベース１３、作条爪１５、及び覆土板１６等よって、各条毎に播種ユニット１７が構成される。該播種ユニット１７は、本実施例では、左右方向に略等間隔で２個列設され、該２個の播種ユニット１７から播種部９が形成される。
【００１２】
また、該播種部９の後方で前記機体フレーム２・３の後部間には、操作部１０が形成される。該操作部１０は、上下のアーム部材３５・３６から成ると共に略鉛直上方に立設された正面視門型のハンドルアーム３４と、補助ハンドル２５・２５とから構成される。
【００１３】
このうちのハンドルアーム３４において、その下アーム部材３６では、前記ローラ軸８より後方の機体フレーム２・３から略鉛直上方に、左右の縦アーム部３６ｂ・３６ｂが前後回動可能に立設されると共に、該縦アーム部３６ｂ・３６ｂの上端間が、横アーム部３６ａによって連結されている。
【００１４】
前記縦アーム部３６ｂ・３６ｂの上下途中部からは、左右一対のステー４１・４１が前方に突設され、該ステー４１・４１の前端部には図示せぬネジ孔が開口され、該ネジ孔と同軸状にナット４２ａ・４２ａが外側面に固設されている。一方、前記ローラ軸８と縦アーム部３６ｂ・３６ｂの立設位置との間の機体フレーム２・３には、それぞれ左右一対のハンドル傾斜調節フレーム４０・４０の下端が前後回動可能に連結され、該ハンドル傾斜調節フレーム４０・４０の上端には、長孔４０ａ・４０ａが設けられており、該長孔４０ａ・４０ａを挿通するようにして、ボルト４２ｂ・４２ｂが内側から前記ナット４２ａに締められている。
【００１５】
これにより、前記ボルト４２ｂ・４２ｂを緩めて長孔４０ａ・４０ａに沿って摺動させ、縦アーム部３６ｂ・３６ｂを前後方向に傾倒した後、再びボルト４２・４２を締めることにより、ハンドルアーム３４を所定の前後傾斜角に調節するようにしている。
【００１６】
前記上アーム部材３５では、パイプ状で上端が開口した前記縦アーム部３６ｂ・３６ｂ内に、上アーム部材３５を構成する縦アーム部３５ｂ・３５ｂが上から内挿されると共に、該縦アーム部３５ｂ・３５ｂの上端間は、把持アーム部３５ａによって連結される。
【００１７】
そして、下アーム部材３６の縦アーム部３６ｂ・３６ｂの上端前部には、ノブネジ４３・４３が前方から螺挿されており、該ノブネジ４３・４３の螺挿進行に伴って、ノブネジ４３・４３の後端を上アーム部材３５の縦アーム部３５ｂ・３５ｂの前面に押圧することにより、上アーム部材３５が下アーム部材３６に対して締結固定される。
【００１８】
これにより、前記ノブネジ４３を緩め、上アーム部材３５を下アーム部材３６に沿って摺動させて昇降させた後、再びノブネジ４３を締めることにより、ハンドルアーム３４の高さを所定の高さに調節するようにしている。
【００１９】
従って、ハンドルアーム３４の前後傾斜角と高さを無段階で変更し、播種作業中に、ハンドルアーム３４を把持アーム部３５ａで把持して人力で前方に押し操作するのに適した状態に設定することができ、押し操作が小さな人力ですみ、播種作業の作業負荷が減少し、その作業性が向上する。
【００２０】
前記補助ハンドル２５は、パイプ状の本体部２５ａと、該本体部２５ａの後半部に形成された把持部２５ｂと、前記本体部２５ａの前端に固設され上下方向に軸心を有するパイプ状の摺動部２５ｃとから構成され、該摺動部２５ｃは、前記上アーム部材３５の縦アーム部３５ｂ・３５ｂの上下途中部に外嵌されている。
【００２１】
そして、該摺動部２５ｃの外側部には、ノブネジ５２が外側方から螺挿されており、該ノブネジ５２の螺挿進行に伴って、ノブネジ５２の先端を前記縦アーム部３５ｂの外側面に押圧することにより、補助ハンドル２５が縦アーム部３５ｂに対して締結固定される。
【００２２】
これにより、前記ノブネジ５２を緩め、摺動部２５ｃを上アーム部材３５に沿って摺動させて昇降させた後、再びノブネジ５２を締めることにより、補助ハンドル２５の高さを所定の高さに調節するようにしている。
【００２３】
このような補助ハンドル２５を使った作業、例えば方向転換作業は次のようにして行う。まず、補助ハンドル２５を把持して引き上げることにより、駆動ローラ５を支点に鎮圧ローラ６を上昇させ、播種機１を水平状態から前方に傾け、鎮圧ローラ６を圃場から浮かせた後、この状態で、駆動ローラ５を支点にして、補助ハンドル２５を水平移動させることにより、播種機１を１８０度旋回させる。その後は、補助ハンドル２５を下げ、駆動ローラ５を支点に鎮圧ローラ６を下降させて播種機１を水平に復帰させて、方向転換作業を完了する。
【００２４】
この際、ハンドルアーム３４が略鉛直上方に立設されているのに対し、補助ハンドル２５は略水平に展開されているため、その把持部２５ｂを作業者が掴みやすく、前述した鎮圧ローラ６の上昇・旋回・下降操作にかかる人力が小さくてすむ。このため、前述した方向転換作業はもとより、段差越え作業においても、作業負荷が減少し、その作業性を大きく向上させることができる。
【００２５】
また、前記機体フレーム２・３の前後略中央部間で、前記支持バー１１・１２の間には、入力軸２３が回動可能に横架されると共に、該入力軸２３の左右途中部は、後で詳述する繰出ベース１３内の伝達経路を介して、前記播種装置１４の繰出軸２４に連動連結される。一方、この入力軸２３の右端は、動力伝達経路１８を介して、前記鎮圧ローラ６のローラ軸８に連動連結されている。
【００２６】
該動力伝達経路１８においては、右の機体フレーム３の外側面に伝動ケース１９が固設され、該伝動ケース１９内の前部に前記入力軸２３の右端が貫入され、該右端にスプロケット２１が外嵌固定される。同様に、前記伝動ケース１９内の後部にも前記ローラ軸８の右端が貫入され、該右端にスプロケット２０が外嵌固定され、該スプロケット２０と前記スプロケット２１との間には、チェーン２２が巻回されている。
【００２７】
これにより、播種機１が進行すると、鎮圧ローラ６が回転し、該鎮圧ローラ６の回転動力が、ローラ軸８、スプロケット２０、チェーン２２、スプロケット２１から入力軸２３に伝達され、播種装置１４の繰出軸２４が駆動されて、圃場に種子が繰り出される。
【００２８】
また、前記機体フレーム２・３の前部で、前記ローラ軸７の支承部近傍からは、左右一対の支持フレーム２８Ｌ・２８Ｒが立設され、該支持フレーム２８Ｌ・２８Ｒの上端部間には、バッテリ台２９が橋架され、該バッテリ台２９上には、バッテリボックス４９が載置固定されている。
【００２９】
該バッテリボックス４９内には、バッテリ３０、該バッテリ３０への電力の入出力を制御するコントローラ５０、及び該コントローラ５０と前記バッテリ３０間の電力を断接するブレーカ５５が収容され、前記コントローラ５０は、信号線３１を介して、前記上アーム部材３５の把持アーム部３５ａに設けたアクセルメータ５３・スタートスイッチ３３に接続されると共に、信号線３２を介して、前記駆動ローラ５内に組み込んだ走行モータ３７に接続される。
【００３０】
これにより、ハンドルアーム３４の把持アーム部３５ａを把持しながらスタートスイッチ３３を操作すると、該スタートスイッチ３３からの信号により、バッテリ３０から走行モータ３７に電力が供給され、前輪である駆動ローラ５がモータ駆動されて播種機１が走行されるようにしており、重量が重い走行モータ３７とバッテリ３０のいずれも駆動ローラ５側に集中配置された前重心・前輪駆動タイプの播種機１が構成される。
【００３１】
従って、たとえ機体前方に段差があっても、ハンドルアーム３４を把持して後輪を浮かせた状態で、大きな荷重のかかった重い駆動ローラ５を回転駆動させながら段差に当接すると、該段差の表面に沿って駆動ローラ５を駆動前進させることができ、アクチュエータを用いず、また特別な操作も必要とせずに、播種機１が段差を容易に乗り越えることができる。
【００３２】
なお、前記駆動ローラ５の直後方の機体フレーム２・３間には、横フレーム５４が横架され、該横フレーム５４からは、持ち運び用、保守管理作業用の正面視門形の把手５１が上方に突設されている。
【００３３】
次に、前記播種装置１４と、該播種装置１４を着脱する前記繰出ベース１３と、その着脱構造とについて、図３乃至図６により説明する。
このうちの播種装置１４は、上下が開口した種子ケース７３の下部開口に、後斜め下方から繰出ロール７４を挿嵌し、その後から、下繰出ケース９１を覆設して構成される。
【００３４】
前記種子ケース７３は、上面が蓋体９２で覆われるようにして内部に種子９３を蓄えるホッパ部７３ａと、該ホッパ部７３ａよりも下方にある上繰出ケース部７３ｂとから構成され、該上繰出ケース部７３ｂと前記下繰出ケース９１とから、種子９３を所定量だけ繰り出すための前記繰出部１４ａが形成されている。そして、該繰出部１４ａの前下端部には、左右一対の凸状の前係止部１４ｂ・１４ｂが左右外方に突設される一方、繰出部１４ａの後下端部には、凸状の後係止部１４ｃが後方に突設されている。
【００３５】
前記繰出ロール７４においては、左右方向に軸孔７４ｂが穿孔され、該軸孔７４ｂは、前記種子ケース７３の下部を左右方向に穿孔した通し孔７３ｃと略同一軸心上に配置されており、前記繰出軸２４が、該通し孔７３ｃ内に回動可能に挿通されると共に、前記軸孔７４ｂ内には回動不能に嵌合される。そして、該繰出軸２４の一端は、前記種子ケース７３内から左外方に突出され、その端部に、従動ギア７５が外嵌固定されている。更に、繰出ロール７４の外周面には、凹部７４ａが周方向に略等間隔で形成されており、該凹部７４ａ内に前記種子９３が入り込むようにしている。
【００３６】
これにより、前記繰出ロール７４が矢印９４の方向に回転すると、前記ホッパ部７３ａ内から凹部７４ａ内に入り込んでいる種子９３が、該凹部７４ａ内に保持された状態で回転搬送される。この搬送途中では、前記上繰出ケース部７３ｂと下繰出ケース９１との間に介設されたブラシ５６によって、凹部７４ａから溢れた種子９３等が除去される。そして、該凹部７４ａ内の種子９３は、所定の落下位置まで搬送されると、前記下繰出ケース９１の下部に開口した繰出口９１ａより、前記繰出ベース１３内に落下される。
【００３７】
また、このような構成の播種装置１４を着脱する繰出ベース１３は、左右の側板７７・７８と、該側板７７・７８の前部を前面部７６ａと上面部７６ｂで覆う側面視上下逆Ｌ字状の前カバー７６と、前記左の側板７７の左外側面の前後に設けた複数のボルト８８によって締結固定された平面視コ字状のギアケース７９等から構成される。
【００３８】
このうちの側板７７・７８においては、その前部に、左右方向に軸心を有する軸孔７７ａ・７８ａが穿孔されており、該軸孔７７ａ・７８ａ内に前記前支持バー１１を挿通し、該前支持バー１１を前記前カバー７６の上面部７６ｂに設けたノブネジ８６によって固定することにより、側板７７・７８の前部が前支持バー１１に左右摺動可能に固定される。一方、前記側板７７・７８の後縁部には、後方に開いた凹部７７ｂ・７８ｂが形成されており、該凹部７７ｂ・７８ｂに前記後支持バー１２を挿嵌することにより、側板７７・７８の後部が後支持バー１２に左右手動可能に固定される。これにより、前後の支持バー１１・１２を介して、繰出ベース１３を機体フレーム２・３に左右位置調整可能に支持することができる。
【００３９】
更に、前記側板７７・７８において、その前半部の内側面には、側面視で下に凸状の挟持上板８３・８３が貼設固定されると共に、該挟持上板８３・８３の後斜め下方位置には、板片状の挟持下板部７７ｃ・７８ｃが、前記側板７７・７８の下縁から内方に向けて略水平に突出され、該挟持下板部７７ｃ・７８ｃと、前記挟持上板８３・８３の後下部の外周傾斜面８３ａ・８３ａとの間に、前挟持空間８９・８９が設けられている。
【００４０】
一方、前記側板７７・７８の後部間には、背面視Ｕ字状の後挟持体８０が介設される。該後挟持体８０は、前記側板７７・７８間に横設される背面視Ｕ字状の底板部８０ａと、該底板部８０ａの左右端部近傍から立設して上半部のみが左右外方に開いた左右一対の側板部８０ｂ・８０ｂと、該側板部８０ｂ・８０ｂの下部背面間を連結する背板部８０ｃとから構成される。
【００４１】
そして、このような後挟持体８０後方の繰出ベース１３に、本発明に係わる弾性ガイド機構２７が設けられている。
該弾性ガイド機構２７を構成する弾性ガイド体８１は、弾性を有する一体のバネ部材から成り、屈曲加工することにより、後ろから順に、支持バネ部５９、把持バネ角部６０、付勢バネ部６１が形成される。
【００４２】
このうちの支持バネ部５９は、その下部が二股に分岐され、該各分岐部５９ａ・５９ｂには、縦に長い長孔５９ｃ・５９ｄが開口されており、ボルト６２が、該長孔５９ｃ・５９ｄを挿通するようにして、板片状の支持部７７ｄ・７８ｄのネジ孔に螺挿される。該支持部７７ｄ・７８ｄは、前記側板７７・７８の後端縁の下半部より内方に向けて突出されて形成されている。これにより、前記ボルト６２・６２を緩めて、前記支持バネ部５９を長孔５９ｃ・５９ｄに沿って上下に摺動させた後、再びボルト６２・６２を締めることにより、弾性ガイド体８１を所定の高さに調節できるようにしている。
【００４３】
前記把持バネ角部６０は、前記支持バネ部５９の上端縁から前斜め上方へ延びる上向き斜面部６０ａと、該上向き斜面部６０ａの上端縁から前斜め下方へ延びる下向き斜面部６０ｂとから構成されている。これにより、該両斜面部６０ａ・６０ｂを前後から指で把持して押動し、弾性ガイド体８１全体を弾性変形させることで、支持バネ部５９の下部を支点として、弾性ガイド体８１を前後に傾倒できるようにしている。
【００４４】
前記付勢バネ部６１は、前記下向き斜面部６０ｂの下端縁から垂設される上摺動面部６１ａと、該上摺動面部６１ａの下端縁から前斜め下方へ延びる下摺動面部６１ｂとから構成されている。そして、該下摺動面部６１ｂの下端部は、前記後挟持体８０の背板部８０ｃの下縁に弾性的に付勢されている。
【００４５】
このような弾性ガイド体８１には、下摺動面部６１ｂの上下略中央部に、規制部材６３がボルト４４によって締結固定される。該規制部材６３は、側面視三角形で前方に凸状に形成されており、その下部には、前記下摺動面部６１ｂに直角な係止面部６３ｂが形成される一方、規制部材６３の上部には摺動斜面部６３ａが形成され、該摺動斜面部６３ａは、その上端縁に丸みを設けないようにして、前記下摺動面部６１ｂとの間で段差が発生しないようにしている。そして、この規制部材６３の係止面部６３ｂと、前記後挟持体８０の底板部８０ａとの間に、後挟持空間９０が設けられている。
【００４６】
また、前記前カバー７６において、前記ノブネジ８６が、上面部７６ｂの右前部に設けられるが、該上面部７６ｂの平面視略中央部には、貫通孔７６ｃが開口され、該貫通孔７６ｃ内に、上下方向に軸心を有するパイプ状の取付けボス部８７の上端が嵌入固定される。該取付けボス部８７の前部には、半径方向に固定孔８７ａが穿孔されており、前記作条爪１５から立設する支持ポール５７を取付けボス部８７に下方から挿通した後、所定の高さ位置で、前記前面部７６ａに設けた固定ボルト５８が前方から固定孔８７ａ内に挿通して支持ポール５７を固定することにより、前記作条爪１５が繰出ベース１３の下方に高さ調整可能に固定される。
【００４７】
更に、前記ギアケース７９において、その左側面は左方に膨出すると共に、その上部は、上蓋４５によって覆われた前端部を除いて、上方に開口されており、前記播種装置１４の左外方に配置された従動ギア７５が、上部開口７９ａを通って、上方からギアケース７９内に挿入できるようにしている。
【００４８】
そして、前記上蓋４５で一部が覆われたギアケース７９の前半部には、その内部空間に駆動ギア８２が収納され、該駆動ギア８２は、前記ギアケース７９内で従動ギア７５と噛合可能な位置において、前記入力軸２３に外嵌固定されている。
【００４９】
次に、前記弾性ガイド機構２７を使った、播種装置１４の着脱手順について、図３、図７により説明する。
播種装置装着時には、播種装置１４を矢印１００のように前方に倒し、前傾姿勢で矢印９６の方向に下降して、繰出部１４ａの左右の前係止部１４ｂ・１４ｂを、繰出ベース１３の左右の側板７７・７８間で、挟持上板８３・８３よりも後下方の空間に挿入する。すると、繰出部１４ａの後係止部１４ｃは、前記把持バネ角部６０の下向き斜面部６０ｂから、付勢バネ部６１の上下摺動面部６１ａ・６１ｂを通って、規制部材６３の摺動斜面６３ａまで摺動して位置６４に移動し、該規制部材６３を後方に押動して、付勢バネ部６１を位置６６から位置６７まで弾性変形させる。
【００５０】
続いて、前係止部１４ｂ・１４ｂを、そのまま矢印９７の方向に前進させながら、播種装置１４を徐々に水平に戻しつつ、繰出ベース１３側の前挟持空間８９・８９内に嵌入させる。同時に、後係止部１４ｃを、規制部材６３の摺動斜面部６３ａを摺動させながら、位置６４から位置６５まで移動して後挟持空間９０内に嵌入させる。これにより、繰出部１４ａを繰出ベース１３内に取り付けることができる。
【００５１】
この間、後係止部１４ｃは、前方に位置する挟持上板８３・８３、挟持下板部７７ｃ・７８ｃに向かって、弾性ガイド体８１により弾性的に常時付勢されているため、摺動中に、後係止部１４ｃと、前記下向き斜面部６０ｂ、上下摺動面部６１ａ・６１ｂ、摺動斜面部６３ａとの間に隙間が生じて離脱することがなく、また、播種装置１４をわざわざ前方に押し付けて位置合わせをしながら、後係止部１４ｃを後挟持空間９０内に嵌入させる必要もない。更に、前述の如く、下摺動面部６１ｂと摺動斜面部６３ａとの間には段差がなく連続しているため、後係止部１４ｃが摺動中に段差によって係止されることもない。
【００５２】
そして、後挟持空間９０内に嵌入した後係止部１４ｃに対しては、規制部材６３の係止面部６３ｂが上方から弾性的に常時押圧しており、播種装置装着中は、係止面部６３ｂによって、後係止部１４ｃが後挟持空間９０内から離脱することを防止し、該後挟持空間９０内に確実に保持できるようにしている。
【００５３】
なお、播種装置装着と同時に、繰出部１４ａ側の従動ギア７５は、前記ギアケース７９内に挿入され、該ギアケース７９内で前記駆動ギア８２と噛合される。これにより、図２に示すような動力伝達経路１８を介して入力軸２３に伝達されてきた鎮圧ローラ６からの回転動力が、駆動ギア８２と従動ギア７５とから成る伝達経路を介して、前記繰出軸２４に伝達される。
【００５４】
播種装置脱着時には、前記把持バネ角部６０の両斜面部６０ａ・６０ｂを前後から指で把持して後方に押動し、弾性ガイド体８１を後方に傾倒させて付勢バネ部６１を位置６７から更に位置６８まで弾性変形させる。この状態で、播種装置１４を矢印９８の方向に後進させながら徐々に前傾させつつ、繰出部１４ａの後係止部１４ｃが規制部材６３に干渉されないようにして、播種装置１４を矢印９９の方向に引き上げることにより、前係止部１４ｂ・１４ｂと後係止部１４ｃを、それぞれ前挟持空間８９・８９と後挟持空間９０から脱着させる。これにより、繰出部１４ａを繰出ベース１３内から取り外すことができる。
【００５５】
すなわち、機体フレーム２・３の前後に配置した前輪である駆動ローラ５と後輪である鎮圧ローラ６との間に、播種装置１４を備える播種ユニット１７を左右方向に列設し、該播種装置１４の繰出部１４ａは、前記機体フレーム２・３に設けた枠状の繰出ベース１３に取り付け・取り外し可能に設けると共に、該繰出ベース１３内の駆動ギア８２に、前記繰出部１４ａ側の従動ギア７５を噛合して該繰出部１４ａを駆動させる播種機１において、前記繰出ベース１３内には、前記繰出部１４ａの係止部である前係止部１４ｂ・１４ｂ、後係止部１４ｃを挟持する複数の挟持体である挟持上板８３・８３、挟持下板部７７ｃ・７８ｃ、後挟持体８０と、前記繰出ベース１３内への繰出部１４ａの上方からの挿入によって、前記前係止部１４ｂ・１４ｂ、後係止部１４ｃを、前記挟持上板８３・８３、挟持下板部７７ｃ・７８ｃ、後挟持体８０のうちの一挟持体、本実施例では挟持上板８３・８３、挟持下板部７７ｃ・７８ｃに向かって弾性的に付勢しながら、該挟持上板８３・８３、挟持下板部７７ｃ・７８ｃに対向配置した他挟持体、本実施例では後挟持体８０まで摺動させて導く弾性ガイド機構２７とを設けたので、繰出部１４ａを、弾性的な付勢力によって摺動面に密着した状態で離脱させることなく、繰出ベース１３内への下方挿入の一動作だけで、後挟持体８０まで安定かつ迅速に導くことができ、播種装置１４の装着作業性の大幅な向上を図ることができる。更に、繰出部１４ａの取り付け・取り外し時に繰出ベース１３の形状、特に側方幅が変化することがなく、播種装置１４を備える播種ユニット１７を左右方向に多数列設する場合であっても、隣接する播種ユニット１７間の相互干渉を防止することができ、播種ユニット１７間の間隔が拡大せずに、機体の大型化や条間距離の制限を回避して、旋回性能の向上、作業負荷の軽減、播種性能の向上を図ることができる。
【００５６】
更に、前記弾性ガイド機構２７は、前記他挟持体である後挟持体８０近傍から立設して上下方向に延びる摺動面部である下向き斜面部６０ｂ、上下摺動面部６１ａ・６１ｂを備えると共に弾性を有する弾性ガイド体８１に加え、該弾性ガイド体８１の上下途中部に、前記後挟持体８０まで係止部である後係止部１４ｃを摺動させる摺動機能と、前記後係止部１４ｃ内の挟持空間である後挟持空間９０からの後係止部１４ｃの離脱を防止する保持機能とを兼備した規制部材６３を設けるので、複数の機能を単一の部材である規制部材６３に兼備させることができ、部品点数を減らして、部品コストの低減や組立性・メンテナンス性の向上を図ることができる。
【００５７】
加えて、前記弾性ガイド体８１は、弾性を有する一体のバネ部材から成り、前記繰出ベース１３に下部を連結して上方に延出する支持バネ部５９と、前記係止部である後係止部１４ｃを付勢する付勢バネ部６１と、該付勢バネ部６１と前記支持バネ部５９との間にあって、前記繰出部１４ａの取り外し時には、把持して後係止部１４ｃから離間方向、本実施例では後方に押動し、弾性ガイド体８１を弾性変形させる上下逆Ｖ字状の把持バネ角部６０とを備えるので、弾性ガイド体８１を、一体のバネ部材という簡単な構成で形成すると共に、把持バネ角部６０を、支持バネ部５９と付勢バネ部６１との間の連結部分を利用して形成することができ、一層の部品コストの低減を図ることができる。
【００５８】
更に、前記規制部材６３は、前記係止部である後係止部１４ｃの上部を上から押圧する係止面部６３ｂと、前記付勢バネ部６１の摺動面部である下摺動面部６１ｂに段差なく連続する摺動斜面部６３ａとを備えるので、後係止部１４ｃが、弾性ガイド体８１の下摺動面部６１ｂから規制部材６３の摺動斜面部６３ａにかけて摺動する途中で段差に引っかかることがなく、繰出部１４ａを後挟持体８０まで円滑に導くことができ、播種装置１の装着作業性の一層の向上を図ることができる。
【産業上の利用可能性】
【００５９】
本発明は、機体フレームの前後に配置した前輪と後輪との間に、播種装置を備える播種ユニットを左右方向に列設し、該播種装置の繰出部は、前記機体フレームに設けた枠状の繰出ベースに取り付け・取り外し可能に設けると共に、該繰出ベース内の駆動ギアに、前記繰出部側の従動ギアを噛合して該繰出部を駆動させる、全ての播種機に適用することができる。
【符号の説明】
【００６０】
１  播種機
２・３  機体フレーム
５  駆動ローラ（前輪）
６  鎮圧ローラ（後輪）
１３  繰出ベース
１４  播種装置
１４ａ  繰出部
１４ｂ  前係止部（係止部）
１４ｃ  後係止部（係止部）
１７  播種ユニット
２７  弾性ガイド機構
５９  支持バネ部
６０  把持バネ角部
６１  付勢バネ部
６１ｂ  下摺動面部（摺動面部）
６３  規制部材
６３ａ  摺動斜面部
６３ｂ  係止面部
７５  従動ギア
７７ｃ・７８ｃ  挟持下板部（一挟持体）
８０  後挟持体（他挟持体）
８１  弾性ガイド体
８２  駆動ギア
８３  挟持上板（一挟持体）
９０  後挟持空間（挟持空間）
【図１】
2014036609.tif 000003
【図２】
2014036609.tif 000004
【図３】
2014036609.tif 000005
【図４】
2014036609.tif 000006
【図５】
2014036609.tif 000007
【図６】
2014036609.tif 000008
【図７】
2014036609.tif 000009